(57)【特許請求の範囲】
【請求項１】
ロッドアンテナエレメント（２ａ）と、ロッドアンテナエレメント（２ａ）の上方の絶縁ロッド部（１６）と、ロッドアンテナエレメント（２ａ）の下方に電気接続する接続金具（１５）とが、直線上に一体に連結されたロッドアンテナ（２）と、
携帯通信機器の筺体（４）に取り付けられ、中央に穿設されたサポート孔（１０）に、ロッドアンテナ（２）を挿通させて筺体（４）に対して出没自在とするとともに、ロッドアンテナ（２）の伸張状態で、ロッドアンテナ（２）の接続金具（１５）に電気接続する給電金具（８）と、
中央に穿設された挿通孔（９ｂ）が、ロッドアンテナ（２）を挿通自在とするように、挿通孔（９ｂ）をサポート孔（１０）と同軸上に配置して、給電金具（８）の上方に取り付けられる絶縁インシュレータ（９）と、
絶縁インシュレータ（９）の外側面に配置され、基端巻線部（１１ａ）が給電金具（８）に電気接続されたヘリカルアンテナ（１１）と、
絶縁インシュレータ（９）の内方に取り付けられ、絶縁インシュレータ（９）の肉厚部（９ｄ）を介してヘリカルアンテナ（１１）の先端巻線部（１１ｂ）と対向する電極板（１２）とを備え、
ロッドアンテナ（２）が筺体（４）内に収納される収納状態で、ヘリカルアンテナ（１１）の先端側に、ヘリカルアンテナ（１１）の先端巻線部（１１ｂ）と肉厚部（９ｄ）と電極板（１２）で構成されるコンデンサ（Ｃ１）を形成することを特徴とするアンテナ装置。
【請求項２】
ロッドアンテナ（２）の伸張状態で、接続金具（１５）は、サポート孔（１０）内に挿通する絶縁インシュレータ（９）の基端部（９ａ）を介して給電金具（８）に対向するとともに、絶縁インシュレータ（９）の肉厚部（９ｄ）を介してヘリカルアンテナ（１１）の先端巻線部（１１ｂ）に対向し、静電的インピーダンス結合で、ロッドアンテナ（２）の接続金具（１５）がヘリカルアンテナ（１１）と並列に電気接続することを特徴とする請求項１記載のアンテナ装置。
【請求項３】
接続金具（１５）の基端を、絶縁インシュレータ（９）の挿通孔（９ｂ）の内径より大径に形成し、ロッドアンテナ（２）の引き出しストッパー（１５ａ）としたことを特徴とする請求項２記載のアンテナ装置。
【請求項４】
電極板（１２）を、絶縁インシュレータ（９）の挿通孔（９ｂ）に沿った筒状に形成し、
筒状の電極板（１２）内に収容される接触バネ（１３）を、ロッドアンテナ（２）の外側面に弾性接触させ、ロッドアンテナ（２）を起立支持したことを特徴とする請求項１乃至３のいずれか１項に記載のアンテナ装置。
【発明の詳細な説明】
【０００１】
【発明の属する技術分野】
【０００２】
この発明は、携帯電話機等の携帯通信機器に備えられるアンテナ装置に関し、特に、ロッドアンテナが携帯通信機器の筺体内に出没自在に取り付けられるアンテナ装置に関する。
【０００３】
【従来の技術】
携帯電話機のように、持ち運びながら使用する携帯通信機器においては、移動中にできるだけコンパクトな形状とするように、ロッドアンテナを携帯通信機器の筺体内に収納させるようにしている。
【０００４】
しかしながら、ロッドアンテナを筺体内に収納した状態でも、呼び出し信号等を受信可能な状態として待機する必要があり、ロッドアンテナを筺体内に収納した状態であっても、送受信が可能なアンテナ装置が、例えば特許第２７６４３４９号の特許公報において開示されている。
【０００５】
この従来のアンテナ装置１００を、図６と図７で説明する。これらの図に示すように、携帯通信機器の筺体１０１の上面に、給電金具１０２が取り付けられ、給電金具１０２のサポート孔内に取り付けられた筒状の弾性接触片１０４を通して、ロッドアンテナ１０３が筺体１０１に対して出没できるようになっている。
【０００６】
ロッドアンテナ１０３は、携帯通信機器の使用帯域周波数ｆで共振する１／４波長のロッドアンテナエレメントで構成される。ロッドアンテナエレメントの上方は、絶縁被覆により覆われ、絶縁被覆の上端は、収納ストッパーを兼ねる摘み１０３ａとなり、また、下方は、引き出しストッパーを兼ねる接続金具１０３ｂが固着され、周囲が覆われてる。
【０００７】
給電金具１０２の上方には、絶縁カバー１０７内に一体成形された螺旋状のヘリカルアンテナ１０８の基端巻線部が取り付けられている。ヘリカルアンテナ１０８も周波数ｆで共振する１／４波長型のアンテナで、その基端巻線部が給電金具１０２に電気接続することにより、給電線１０５を介して回路基板１０６上の空中線結合回路（図示せず）に、常時接続している。
【０００８】
このように構成されたアンテナ装置１００において、ロッドアンテナ１０３を筺体１０１から引き出した図６（ａ）に示す伸張状態では、ロッドアンテナ１０３の接続金具１０３ｂが弾性接触片１０４に接触し、給電金具１０２には、同図（ｂ）に示すように、ロッドアンテナ１０３とヘリカルアンテナ１０８が並列状態で接続される。
【０００９】
また、ロッドアンテナ１０３を筺体１０１内に収納した収納状態では、図７（ａ）に示すように、ロッドアンテナ１０３の絶縁被覆された上方部分が弾性接触片１０４に接触するので、ロッドアンテナ１０３は、給電金具１０２から絶縁された状態となるが、ヘリカルアンテナ１０８は、給電金具１０２に常時接続しているので、同図（ｂ）に示すようにヘリカルアンテナ１０８が、空中線結合回路に接続するアンテナとして作用する。
【００１０】
従って、ロッドアンテナ１０３の収納状態においても、携帯通信機器の使用帯域周波数ｆの無線信号を送受信することができる。
【００１１】
【発明が解決しようとする課題】
このように従来のアンテナ装置１００によれば、ロッドアンテナ１０３の収納状態においても送受信が可能となるが、ヘリカルアンテナ１０８は、ロッドアンテナ１０３に比べてインダクタンスが大きく、帯域幅ＢＷに対する中心周波数ｆ０で定義されるアンテナのＱが高くなる。
【００１２】
その結果、空中線結合回路における整合回路による調整が困難となり、収納状態での使用帯域幅が狭く、充分な利得が得られないという問題があった。
【００１３】
この発明は、以上の問題点を解決するためになされたもので、ロッドアンテナを収納状態であっても、広帯域での送受信が可能なアンテナ装置を提供することを目的とする。
【００１４】
【課題を解決するための手段】
以上の問題点を解決するため、請求項１のアンテナ装置は、ロッドアンテナエレメントと、ロッドアンテナエレメントの上方の絶縁ロッド部と、ロッドアンテナエレメントの下方に電気接続する接続金具とが、直線上に一体に連結されたロッドアンテナと、携帯通信機器の筺体に取り付けられ、中央に穿設されたサポート孔に、ロッドアンテナを挿通させて筺体に対して出没自在とするとともに、ロッドアンテナの伸張状態で、ロッドアンテナの接続金具に電気接続する給電金具と、中央に穿設された挿通孔が、ロッドアンテナを挿通自在とするように、挿通孔をサポート孔と同軸上に配置して、給電金具の上方に取り付けられる絶縁インシュレータと、絶縁インシュレータの外側面に配置され、基端巻線部が給電金具に電気接続されたヘリカルアンテナと、絶縁インシュレータの内方に取り付けられ、絶縁インシュレータの肉厚部を介してヘリカルアンテナの先端巻線部と対向する電極板とを備え、
ロッドアンテナが筺体内に収納される収納状態で、ヘリカルアンテナの先端側に、ヘリカルアンテナの先端巻線部と肉厚部と電極板で構成されるコンデンサを形成することを特徴とする。
【００１５】
絶縁インシュレータの肉厚部は、電極板とヘリカルアンテナの先端巻線部に挟まれた誘電体となり、ヘリカルアンテナの先端側に直列に接続されるコンデンサが形成される。
【００１６】
これにより、ロッドアンテナが筺体内に収納される収納状態において、トップロードの容量が付加され、ヘリカルアンテナのＱが低下する。その結果、ヘリカルアンテナによる共振周波数の帯域が広がり、インピーダンスの変化が少ないので、整合も容易となる。
【００１７】
筺体から突出したヘリカルアンテナは、螺旋状に巻回されているので、筺体から大きく突出することなく、携帯通信機器として持ち運ぶ際の障害とならない。
【００１８】
ロッドアンテナが筺体から引き出された伸張状態では、ロッドアンテナの基端部に固着された接続金具が給電金具に静電的インピーダンス結合、若しくは直接動電的結合で電気接続し、給電金具に並列に接続されるロッドアンテナとヘリカルアンテナが、アンテナとして作用する。
【００１９】
請求項２のアンテナ装置は、ロッドアンテナの伸張状態で、接続金具は、サポート孔内に挿通する絶縁インシュレータの基端部を介して給電金具に対向するとともに、絶縁インシュレータの肉厚部を介してヘリカルアンテナの先端巻線部に対向し、静電的インピーダンス結合で、ロッドアンテナの接続金具がヘリカルアンテナと並列に電気接続することを特徴とする。
【００２０】
ロッドアンテナが筺体から引き出された伸張状態では、ロッドアンテナの接続金具は、絶縁インシュレータの基端部と肉厚部の部位にコンデンサが形成されるので、静電的インピーダンス結合によって、給電金具及びヘリカルアンテナの先端巻線部に電気接続する。
【００２１】
絶縁インシュレータの基端部と肉厚部の部位に形成される各コンデンサの容量を調整することにより、ロッドアンテナの特性にばらつきがあっても、アンテナ装置全体で使用帯域周波数ｆ０で共振するように調整できる。
【００２２】
請求項３のアンテナ装置は、接続金具の基端を、絶縁インシュレータの挿通孔の内径より大径に形成し、ロッドアンテナの引き出しストッパーとしたことを特徴とする。
【００２３】
ロッドアンテナを筺体から引き出す際に、引き出しストッパーが絶縁インシュレータに当接し、ロッドアンテナが筺体から抜け出ることがない。
【００２４】
また、引き出しストッパーを当接させることによって、接続金具が、給電金具と、ヘリカルアンテナの先端巻線部に対向する位置で位置決めすることができるので、確実にその部位に設計値通りの容量のコンデンサを形成できる。
【００２５】
請求項４のアンテナ装置は、電極板が、絶縁インシュレータの挿通孔に沿った筒状に形成し、筒状の電極板内に収容される接触バネを、ロッドアンテナの外側面に弾性接触させ、ロッドアンテナを起立支持したことを特徴とする。
【００２６】
ロッドアンテナは、外側面に接触バネが弾性接触するので、伸張状態で、がたつきなく起立支持される。
【００２７】
伸張状態で、接触バネを介してロッドアンテナと電極板が、直接、動電的結合で電気接続するので、ロッドアンテナとヘリカルアンテナ間の容量は、ロッドアンテナと電極板間の距離に依存して変化することがなく、安定した静電的インピーダンス結合で電気接続する。
【００２８】
【発明の実施の形態】
以下、本発明の一実施の形態を図１乃至図５により説明する。
【００２９】
図１に示すように、本実施の形態に係るアンテナ装置１は、携帯通信機器を移動させる際に、ロッドアンテナ２を、その上端部に固定した摘み（収納ストッパー）３を残して携帯通信機器の筺体４内に収納した状態（以下単に収納状態という）としている。
【００３０】
この収納状態から通常の通信を行うときには、図２に示すように、摘み３を引き上げ、ロッドアンテナ２を筺体４から引き出した状態（以下単に伸張状態という）とするものである。
【００３１】
図１（ａ）、図２（ａ）において、５は、携帯通信機器の送信回路、受信回路、整合回路を含む空中線結合回路等を構成する高周波回路部品（図示せず）が実装された回路基板であり、回路基板５の空中線結合回路は、給電線６を介して筺体４の上面に取り付けられた取付リング７に電気接続している。尚、本実施の形態において、特に、静電的インピーダンス結合と記載しない限り、電気接続は、直流でも電流が流れる動電的結合を意味する。
【００３２】
取付リング７の内側面には、雌ねじが螺刻され、給電金具８を螺着するようにしている。給電金具８は、その外側面に設けられたフランジ部８ａが筺体４に当接するまで取付リング７にねじ込まれ、筺体４へ取り付けられる。
【００３３】
給電金具８は、中心にサポート孔１０が穿設された略円筒状の金具であり、サポート孔１０に、絶縁インシュレータ９の基端部９ａと、ロッドアンテナ２を挿通させ、ロッドアンテナ２を筺体４に対して出没自在としている。
【００３４】
絶縁インシュレータ９は、絶縁性合成樹脂で全体がほぼ円筒形に形成されたもので、その中心軸に沿って挿通孔９ｂが形成され、ロッドアンテナ２を挿通自在としている。図示するように、絶縁インシュレータ９は、挿通孔９ｂが、サポート孔１０と同軸線上に配置されるように、給電金具８上に取り付けられるもので、取り付けられた状態で、その基端部９ａは、サポート孔１０内に嵌挿され、給電金具８のサポート孔１０に露出する内側面を覆っている。
【００３５】
挿通孔９ｂの上端は、拡径された電極収容凹部９ｃとなり、この電極収容凹部９ｃ内に、後述する電極板１２と接触バネ１３が収容される。
【００３６】
ヘリカルアンテナ１１は、使用帯域周波数ｆ０の無線信号を送受信する１／４波長のアンテナとなるもので、隣青銅の線材を螺旋状に巻回してなるものである。
【００３７】
ヘリカルアンテナ１１の基端巻線部１１ａの内径は、給電金具８の上筒部８ｂの外径より僅かに短く、螺旋状の基端巻線部１１ａが上筒部８ｂの外側面に弾性接触することにより、ヘリカルアンテナ１１が起立支持され、また、同時に基端巻線部１１ａと給電金具８が直接電気接続する。
【００３８】
螺旋状のヘリカルアンテナ１１は、給電金具８上の絶縁インシュレータ９の外側面に沿って配置され、位置決め支持される。このとき、ヘリカルアンテナ１１の先端巻線部１１ｂは、内方に電極収容凹部９ｃが形成された絶縁インシュレータ９の外側面に配置される。
【００３９】
電極収容凹部９ｃに収容される電極板１２は、図３に示すように、黄銅等の金属で、電極収容凹部９ｃの内壁面に沿って取り付けられるように円筒状に形成されたもので、その上端に一体に形成されたリング状のフランジ部１２ａを、絶縁インシュレータ９の上面に当接させて位置決めされる。
【００４０】
電極板１２を取り付けることによって、ヘリカルアンテナ１１の先端巻線部１１ｂとの間で挟まれた絶縁インシュレータ９の肉厚部９ｄは、誘電体となり、電極板１２と先端巻線部１１ｂ及びその間の肉厚部９ｄで、図１（ｂ）、図２（ｂ）に示す所定容量ｃ１のコンデンサＣ１が形成される。
【００４１】
電極板１２の円筒内には、図３に示すリング状の接触バネ１３が嵌着される。接触バネ１３は、ベリリウム銅等の弾性金属板で円筒状に形成されたもので、電極収容凹部９ｃの内底面と電極板１２のフランジ部１２ａに挟まれ、電極収容凹部９ｃ内に位置決め収容される。
【００４２】
接触バネ１３の円筒の側面には、等角度間隔で複数のバネ片が中心軸方向に向けて切り起こされ、この複数のバネ片が、絶縁インシュレータ９の挿通孔９ｂに挿通するロッドアンテナ２の外側面に、等角度間隔の異なる位置から弾性接触するようになっている。これにより、筺体４から引き出されたロッドアンテナ２は、自重で筺体４内に落下することなく、起立支持される。
【００４３】
絶縁インシュレータ９、ヘリカルアンテナ１１、電極板１２、接触バネ１３等の各部品は、所定位置に取り付けられた後、全体が截頭円錐形の絶縁カバー１４で覆われる。
【００４４】
絶縁カバー１４は、ヘリカルアンテナ１１等の部品を外力から保護するために合成ゴムなどの絶縁性エラストマーで成形され、その基端側の内側面を給電金具８の周囲に螺合させ、給電金具８のフランジ部８ａ上に取り付けられる。絶縁カバー１４の上面には、ロッドアンテナ２の中間より大径で、摘み３より小径の貫通孔１４ａが形成されている。
【００４５】
ロッドアンテナ２は、図３に示すように、チタンニッケル合金のワイヤーで形成されたロッドアンテナエレメント２ａと、その上端に固着される絶縁ロッド１６及び摘み３と、ロッドアンテナエレメント２ａの外側面を覆う絶縁パイプ１７と、ロッドアンテナエレメント２ａの基端の周囲を覆い固着される接続金具１５とで構成されている。
【００４６】
ロッドアンテナエレメント２ａは、基端部に固着される接続金具１５とともに、携帯通信機器の使用帯域周波数ｆ０の無線信号について、１／４波長のアンテナとして作用するように、そのワイヤーの太さと長さが定められている。
【００４７】
絶縁ロッド１６とその上端に取り付けられる摘み３は、ネジ止めして一体化されるもので、絶縁ロッド１６は、収納状態で、絶縁インシュレータ９の挿通孔９ｂを挿通し、その下端が、絶縁インシュレータ９より突出するように、その外径と長さが設定されている。
【００４８】
絶縁パイプ１７は、その内方に、ロッドアンテナエレメント２ａを挿通させるもので、ワイヤーで可撓性のロッドアンテナエレメント２ａを直線上に支持し、また、その周囲を保護し絶縁するものである。
【００４９】
接続金具１５は、絶縁ロッド１６とほぼ等しい外径のロッド状に形成され、その下端は、拡径された引き出しストッパー１５ａとなっている。引き出しストッパー１５ａの外径は、絶縁インシュレータ９の挿通孔９ｂの内径より大きく、また、給電金具８のサポート孔１０の内径より小さくなっている。従って、筺体４より引き出されるロッドアンテナ２は、給電金具８には接触せず、絶縁インシュレータ９の下端面に当接し、位置決めされる。
【００５０】
接続金具１５は、その上端で、図２に示すように、絶縁パイプ１７から下方に突き出たロッドアンテナエレメント２ａの基端を絶縁パイプ１７とともに加締めて固着するもので、これにより、ロッドアンテナエレメント２ａと電気接続している。
【００５１】
同図に示す伸張状態において、接続金具１５は、挿通孔９ｂ内で、上部が接触バネ１３と弾性接触し、下部が絶縁インシュレータ９の基端部９ａを介して給電金具８と対向する。
【００５２】
接続金具１５の上部は、接触バネ１３を介して電極板１２と電気接続するので、ヘリカルアンテナ１１の先端巻線部１１ｂとの間に、前述した容量ｃ１のコンデンサＣ１が形成される。また、接続金具１５の下部は、絶縁インシュレータ９の基端部９ａを介して給電金具８と対向するので、この間に、容量ｃ２のコンデンサＣ２が形成される。従って、伸張状態では、図２（ｂ）に示すように、ロッドアンテナ２は、ヘリカルアンテナ１１と並列で、給電金具８に静電的インピーダンス結合により電気接続する。
【００５３】
このように構成されたアンテナ装置の収納状態と伸張状態における作用について説明する。
【００５４】
図１（ａ）に示すように、収納状態において、ロッドアンテナ２の摘み３は、絶縁カバー１４に当接し、ロッドアンテナ２は、筺体４内に収納される。
【００５５】
このとき、ロッドアンテナエレメント２ａも、筺体４内に収納され、接触バネ１３は、ロッドアンテナ２の絶縁ロッド１６に弾性接触するので、図１（ｂ）に示すように、ロッドアンテナ２は、アンテナとして作用しない。一方、給電金具８に基端巻線部１１ａを電気接続させたヘリカルアンテナ１１は、給電金具８に常時接続しているので、収納状態であっても、λ／４型アンテナとして作用する。このヘリカルアンテナ１１には、その先端側である先端巻線部１１ｂに、容量ｃ１のコンデンサＣ１が接続される。従って、帯域幅ＢＷに対する中心周波数ｆ０で定義されるヘリカルアンテナ１１のＱは、容量ｃ１だけ容量が大きくなるので、低くなり、より広い帯域で送受信が可能となる。
【００５６】
図５は、中心周波数ｆ０を同じ９７０ＭＨｚとして、図４に示す従来のアンテナ装置と比較し、本実施の形態に係るアンテナ装置１の利得を示すもので、従来に比べて、広帯域で整合することが示されている。従って、インピーダンスの変化が少ないので、整合回路による調整が不要であり、ロッドアンテナ２を筺体４内に収納した状態であっても、広帯域で良好な送受信感度が得られる。
【００５７】
収納状態から、摘み３を掴み、接続金具１５の引き出しストッパー１５ａが絶縁インシュレータ９に当接するまで、ロッドアンテナ２を引き出すと、図２（ａ）に示すように、接続金具１５の上部が接触バネ１３と弾性接触し、下部が絶縁インシュレータ９の基端部９ａを介して給電金具８と対向する。
【００５８】
従って、前述したように、接続金具１５の上部が、容量ｃ１のコンデンサＣ１で、下部が、容量ｃ２のコンデンサＣ２で、それぞれ図２（ｂ）に示すように、ヘリカルアンテナ１１の先端巻線部１１ｂと給電金具８に、静電的インピーダンス結合で電気接続し、ロッドアンテナ２がλ／４型アンテナとして作用する。
【００５９】
この伸張状態で、コンデンサＣ１の容量ｃ１を小さくし、コンデンサＣ２の容量ｃ２を大きくすれば、接続金具１５の下部と給電金具８間の静電的インピーダンス結合が強くなり、給電金具８に対して、ロッドアンテナ２とヘリカルアンテナ１１とが、並列に電気接続する状態に近づくので、ヘリカルアンテナ１１自体は並列に接続する補助アンテナとして作用する。
【００６０】
一方、コンデンサＣ１の容量ｃ１を大きくして、コンデンサＣ２の容量ｃ２を小さくすれば、接続金具１５の上部とヘリカルアンテナ１１の先端間の静電的インピーダンス結合が強くなり、給電金具８に対して、ヘリカルアンテナ１１の先端側にロッドアンテナ２が直列に電気接続する状態に近づく。
【００６１】
このように、ロッドアンテナ２によるアンテナ全体のインピーダンス、リアクタンスの不足分などを、コンデンサＣ１とコンデンサＣ２の各容量を変化させることにより、容易に調整することができ、量産されるロッドアンテナ２にばらつきがあっても、電極板１２の形状等を変えるなどにより、簡単に所定の周波数ｆ０で共振するように、調整できる。
【００６２】
本発明は、上記実施の形態に限定されることなく、種々変形が可能である。例えば、上記実施の形態において、伸張状態での接続金具１５と給電金具８間は、コンデンサを介した静電的インピーダンス結合で電気接続する例で説明したが、接続金具１５を給電金具８に接触させるなどして、電気接続するものであってもよい。
【００６３】
また、電極板１２は、絶縁インシュレータ９の電極収容孔９ｃに露出するもので説明したが、絶縁インシュレータ９の内方にインサート成形などで埋め込まれるものであってもよい。
【００６４】
また、絶縁ロッド１６は、ロッドアンテナエレメント２ａの上方周囲を絶縁して覆うものであれば、内部にロッドアンテナエレメント２ａを収容するものであってもよく、更に、上端に取り付けられる摘み３と一体に成形するものであってもよい。
【００６５】
【発明の効果】
請求項１の発明によれば、ロッドアンテナ２を携帯通信機器の筺体４内に収納した収納状態で、アンテナとして作用するヘリカルアンテナ１１は、絶縁インシュレータ９に電極板１２を取り付けるだけで、その先端側に、コンデンサＣ１が形成できる。従って、アンテナのＱが低下し、広帯域にわたってインピーダンスが変化しないアンテナとなり、ヘリカルアンテナ１１であっても、広帯域での送受信が可能となる。
【００６６】
筺体４から突出するアンテナは、ヘリカルアンテナ１１で構成されているので、筺体４から大きく突出することなく、携帯通信機器を収容し、持ち運ぶ際の障害とならない。
【００６７】
請求項２の発明によれば、給電金具８とヘリカルアンテナ１１の先端側の２カ所の位置に形成されるコンデンサＣ１、Ｃ２を介して、ロッドアンテナ２と静電的インピーダンス結合するので、ロッドアンテナ２のアンテナ特性を、コンデンサＣ１、Ｃ２の容量を変えることにより、容易に調整できる。
【００６８】
請求項３の発明によれば、接続金具１５の基端を、拡径するだけで、ロッドアンテナ２が筺体４から抜け出ることを防止でき、引き出しストッパー１５ａを別に設ける必要がなく、部品点数が増加しない。
【００６９】
また、引き出しストッパー１５ａが絶縁インシュレータに当接する位置を引き出し状態とすることによって、引き出し状態で、接続金具１５を、接触バネ１３が弾性接触するとともに、給電金具８と対向する位置に確実に位置決めすることができる。
【００７０】
請求項４の発明によれば、ロッドアンテナ２の外側面に、接触バネ１３が弾性接触するので、引き出したロッドアンテナ２が筺体４内に落下することなく、起立支持することができる。
【００７１】
また、伸張状態では、接続金具１５に弾性接触し、接続金具１５を電極板１２に電気接続させるので、ロッドアンテナ２とヘリカルアンテナ１１間の容量は、ロッドアンテナ２と電極板１２間の距離に依存し変化することがなく、安定した静電的インピーダンス結合で電気接続する。
【００７２】
【図面の簡単な説明】
【図１】本発明の一実施の形態に係るアンテナ装置１の収納状態を示し、
（ａ）は、一部省略縦断面図、
（ｂ）は、その等価回路図である。
【図２】アンテナ装置１の伸張状態を示し、
（ａ）は、一部省略縦断面図、
（ｂ）は、その等価回路図である。
【図３】アンテナ装置１の各構成部品を示す部分分解断面図である。
【図４】横軸に周波数（ＭＨｚ）を、縦軸に電圧定在波比（ＶＳＷＲ）をとり、収納状態での従来のアンテナ装置によるアンテナ特性を示す周波数特性図である。
【図５】図４と比較して、収納状態での本実施の形態に係るアンテナ装置１によるアンテナ特性を示す周波数特性図である。
【図６】従来のアンテナ装置１００の伸張状態を示し、
（ａ）は、一部省略縦断面図、
（ｂ）は、その等価回路図である。
【図７】従来のアンテナ装置１００の収納状態を示し、
（ａ）は、一部省略縦断面図、
（ｂ）は、その等価回路図である。
【符号の説明】
１          アンテナ装置
２          ロッドアンテナ
２ａ        ロッドアンテナエレメント
４          筺体
８          給電金具
９          絶縁インシュレータ
９ａ        基端部
９ｂ        挿通孔
９ｄ        肉厚部
１０        サポート孔
１１        ヘリカルアンテナ
１１ａ      基端巻線部
１１ｂ      先端巻線部
１２        電極板
１３        接触バネ
１５        接続金具
１５ａ      引き出しストッパー
１６        絶縁ロッド部
Ｃ１          コンデンサ
【図１】
0003595518.tif 000002
【図２】
0003595518.tif 000003
【図３】
0003595518.tif 000004
【図４】
0003595518.tif 000005
【図５】
0003595518.tif 000006
【図６】
0003595518.tif 000007
【図７】
0003595518.tif 000008